(57)【要約】【課題】画素領域の開口率を維持すると共に、第１及び第２画素領域群のそれぞれで表示される画像品質の差を低減した液晶表示装置及びこれを備える電子機器を提供すること。【解決手段】画像表示領域に、複数の第１サブ画素領域２５Ａで構成された第１サブ画素領域群２６Ａと、他の複数の第２サブ画素領域２５Ｂで構成された第２サブ画素領域群２６Ｂとが設けられ、液晶分子の非駆動時及び駆動時における挙動を、第１及び第２サブ画素領域群２６Ａ、２６Ｂでそれぞれ同方向とすると共に、第１サブ画素領域２５Ａとこの第１サブ画素領域２５Ａに隣接する第２サブ画素領域２５Ｂとの間で、基準軸Ｌ１に対して対称とする挙動制御手段を備える。【選択図】図４
2008083324.tif 000002
【特許請求の範囲】
【請求項１】
第１及び第２基板の間に電圧の印加によって駆動する液晶層が挟持され、複数の画素領域により画像表示領域が構成された液晶表示装置であって、
前記画像表示領域に、複数の前記画素領域で構成された第１画素領域群と、他の複数の前記画素領域で構成された第２画素領域群とが設けられ、
前記液晶層を構成する液晶分子の非駆動時及び駆動時における挙動を、それぞれの前記画素領域群ごとで同方向とすると共に、前記第１画素領域群を構成する前記画素領域と該画素領域に隣接して前記第２画素領域群を構成する前記画素領域との間で、前記画像表示領域の面方向に沿った基準軸に対して対称とする挙動制御手段を備えることを特徴とする液晶表示装置。
【請求項２】
第１及び第２基板の間に電圧の印加によって駆動する液晶層が挟持され、複数の画素領域により画像表示領域が構成された液晶表示装置であって、
前記画像表示領域に、複数の前記画素領域で構成された第１画素領域群と、他の複数の前記画素領域で構成された第２画素領域群とが設けられ、
前記第１基板に、前記液晶層を駆動する第１及び第２電極が設けられ、
該第１電極が、平行となるように配置された複数の第１帯状部を有し、
前記第１帯状部の延在方向及び前記液晶層を構成する液晶分子の初期配向方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることを特徴とする液晶表示装置。
【請求項３】
前記第２電極が、前記第１帯状部と平行になるように配置された複数の第２帯状部を有し、
該第２帯状部の延在方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることを特徴とする請求項２に記載の液晶表示装置。
【請求項４】
前記第２電極が、平面視で前記第１帯状部の非形成領域及び該第１帯状部の形成領域の少なくとも一部と重なるように配置されていることを特徴とする請求項２に記載の液晶表示装置。
【請求項５】
第１及び第２基板の間に負の誘電率異方性を有する液晶からなり電圧の印加によって駆動する液晶層が挟持され、複数の画素領域により画像表示領域が構成された液晶表示装置であって、
前記画像表示領域に、複数の前記画素領域で構成された第１画素領域群と、他の複数の前記画素領域で構成された第２画素領域群とが設けられ、
前記第１基板に第１電極が設けられると共に、前記第２基板に第２電極が形成され、
駆動時における前記液晶分子の配向方向を制御する配向制御手段を有し、
前記配向制御手段の構造及び前記液晶層を構成する液晶分子の初期配向方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることを特徴とする液晶表示装置。
【請求項６】
前記配向制御手段が、前記第１及び第２基板のいずれか一方または双方に形成された帯状の凸部を有し、
該凸部の延在方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることを特徴とする請求項５に記載の液晶表示装置。
【請求項７】
前記配向制御手段が、前記第１基板上の前記第１電極及び前記第２基板上の前記第２電極のいずれか一方または双方に形成された帯状の開口部を有し、
該開口部の延在方向が、それぞれの前記画素領域群ごとで同方向であると共に、前記１画素領域群を構成する前記画素領域と該画素領域に隣接して前記第２画素領域群を構成する前記画素領域との間で、前記画像表示領域の面方向に沿った基準軸に対して対称であることを特徴とする請求項５または６に記載の液晶表示装置。
【請求項８】
前記液晶分子の初期配向方向が、平面視で前記基準軸と直交または平行であることを特徴とする請求項１から７のいずれか１項に記載の液晶表示装置。
【請求項９】
前記第１及び第２基板のそれぞれに、透過軸が前記基準軸と直交または平行である偏光板が設けられていることを特徴とする請求項１から８のいずれか１項に記載の液晶表示装置。
【請求項１０】
前記基準軸が、互いに隣接する画素領域の境界線であることを特徴とする請求項１から９のいずれか１項に記載の液晶表示装置。
【請求項１１】
請求項１から１０のいずれか１項に記載の液晶表示装置を備えることを特徴とする電子機器。
【発明の詳細な説明】
【技術分野】
【０００１】
本発明は、例えば三次元表示や二画面表示などを行う液晶表示装置及び電子機器に関する。
【背景技術】
【０００２】
従来、三次元表示や二画面表示を行う液晶表示装置は、平面状に配置された複数の画素領域を第１及び第２画素領域群に分けて交互に配置した構成となっている。また、液晶表示装置には、第１画素領域群で表示される画像と第２画素領域群で表示される画像とが視認できる方向を異ならせるためのレンチキュラーレンズやパララックスバリアが設けられている。そして、第１画素領域群で表示される画像を視認可能な方向と第２画素領域群で表示される画像を視認可能な方向とのズレが小さい場合には三次元表示となり、大きい場合には二画面表示となる。
【０００３】
このような三次元表示や二画面表示を行う液晶表示装置に用いられる液晶モードとしては、ＴＮ（Twisted Nematic）モードが一般的に用いられている（例えば、特許文献１参照）。しかし、ＴＮモードでは視角方向によってコントラストや階調性、色味などが大きく異なることで、三次元表示の場合に立体感が損なわれ、二画面表示の場合に観察者による画像の差が生じることになる。
そこで、液晶モードとしてＴＮモードよりも広視野角のＶＡ（Vertically Aligned Nematic）モードやＩＰＳ（In-Plane Switching）モード、ＦＦＳ（Fringe-Field Switching）モードが用いられることが考えられる。
【特許文献１】特開平６−１１８３４３号公報
【発明の開示】
【発明が解決しようとする課題】
【０００４】
しかしながら、上記従来の液晶表示装置においても、以下の課題が残されている。すなわち、１つの画素領域から出射する光は、どの角度にも一様の明るさで出射するのではなく、出射角度によって明るさに分布がある。そのため、観察者の見る方向によって明るさが異なってくる。さらに、画素領域における液晶分子の向きが変わると、明るさの分布自体が変わってくる。これにより、例えば、三次元表示を行う液晶表示装置の場合には、液晶表示装置を正面視したときの右目と左目との間で、液晶表示装置を見る方向が右目と左目とで異なることから出射角度に差が生じるので、明るさが異なってしまう。また、二画面表示を行う液晶表示装置である場合に、液晶表示装置を正面視したときに液晶表示装置の右側に位置する観察者と左側に位置する観察者との間においても、同様である。したがって、液晶表示装置を正面視したときの例えば右側と左側とで表示される画像のコントラストや階調性、色味などが異なってしまう。
また、上述のような広視野角の液晶モードを用いた場合にも、１つの画素領域内に液晶分子の向きの変化を異ならせて視野角特性の異なる領域を複数設けることがあるが、複数の領域の境界に液晶分子が所望の向きに変化しない領域が形成されることで、画素領域の開口率が低下するという問題がある。
【０００５】
本発明は、上記従来の問題に鑑みてなされたもので、画素領域の開口率を維持すると共に、第１及び第２画素領域群のそれぞれで表示される画像品質の差を低減した液晶表示装置及びこれを備える電子機器を提供することを目的とする。
【課題を解決するための手段】
【０００６】
本発明は、前記課題を解決するために以下の構成を採用した。すなわち、本発明にかかる液晶表示装置は、第１及び第２基板の間に電圧の印加によって駆動する液晶層が挟持され、複数の画素領域により画像表示領域が構成された液晶表示装置であって、前記画像表示領域に、複数の前記画素領域で構成された第１画素領域群と、他の複数の前記画素領域で構成された第２画素領域群とが設けられ、前記液晶層を構成する液晶分子の非駆動時及び駆動時における挙動を、それぞれの前記画素領域群ごとで同方向とすると共に、前記第１画素領域群を構成する前記画素領域と該画素領域に隣接して前記第２画素領域群を構成する前記画素領域との間で、前記画像表示領域の面方向に沿った基準軸に対して対称とする挙動制御手段を備えることを特徴とする。
【０００７】
この発明では、第１画素領域群を構成する画素領域（第１画素領域）及び第２画素領域群を構成する画素領域（第２画素領域）における液晶分子の挙動が基準軸に対して対称であるため、第１及び第２画素領域群で表示される画像のコントラストや階調性、色味などの差を小さくすることができる。また、画素領域ごとで液晶分子の挙動をそろえることで、画素領域の開口率を高めることができる。
すなわち、画像表示領域に対して垂直であると共に基準軸と平行な面の一方側から第１画素領域を見たときにおける液晶分子の向きと、この面の他方側から第２画素領域を見たときにおける液晶分子の向きとがこの面を基準として対称となる。そのため、この面の一方側から第１画素領域を見たときと、この面の他方側から第２画素領域を見たときとの出射角度が同等となる。これにより、この面の一方側から第１画素領域を見たときに視認される画像のコントラストや階調性、色味と、この面の他方側から第２画素領域を見たときに視認される画像のコントラストなどとをそろうことになる。したがって、第１及び第２画素領域群のそれぞれで表示される画像の品質のバラツキを抑制できる。
なお、本発明では、画素領域のうち画像の表示に主に用いられる部分において液晶分子の挙動が基準軸に対して対称となっていればよく、画素領域の辺縁部のように画像の表示にほとんど用いられない部分において対称となっていなくてもよい。
【０００８】
また、本発明における液晶表示装置は、第１及び第２基板の間に電圧の印加によって駆動する液晶層が挟持され、複数の画素領域により画像表示領域が構成された液晶表示装置であって、前記画像表示領域に、複数の前記画素領域で構成された第１画素領域群と、他の複数の前記画素領域で構成された第２画素領域群とが設けられ、前記第１基板に、前記液晶層を駆動する第１及び第２電極が設けられ、該第１電極が、平行となるように配置された複数の第１帯状部を有し、前記第１帯状部の延在方向及び前記液晶層を構成する液晶分子の初期配向方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることを特徴とする。
【０００９】
この発明では、第１画素領域群を構成する画素領域（第１画素領域）及び第２画素領域群を構成する画素領域（第２画素領域）における液晶分子の回転方向を基準軸に対して対称とすることで、上述と同様に、第１及び第２画素領域群で表示される画像のコントラストや階調性、色味などの差を小さくすることができる。また、画素領域ごとで液晶分子の回転方向をそろえることで、画素領域の開口率を高めることができる。
すなわち、第１及び第２電極間に電圧を印加すると、液晶分子は、第１及び第２電極間に発生した電界方向に沿うように回転する。ここで、第１及び第２電極間に発生する電界方向は、第１帯状部の延在方向に対してほぼ直交する方向になる。このとき、液晶分子の初期配向方向及び第１帯状部の延在方向が第１及び第２画素領域で基準軸に対して対称としているので、液晶分子の回転方向が第１及び第２画素領域で基準軸に対して対称となる。
なお、本発明では、画素領域のうち画像の表示に主に用いられる部分において液晶分子の回転方向が基準軸に対して対称となっていればよく、画素領域の辺縁部のように画像の表示にほとんど用いられない部分において対称となっていなくてもよい。
【００１０】
また、本発明における液晶表示装置は、前記第２電極が、前記第１帯状部と平行になるように配置された複数の第２帯状部を有し、該第２帯状部の延在方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることとしてもよい。
この発明では、発生する電界方向を第１帯状部及び第２帯状部の延在方向に対してほぼ直交する方向とし、第１及び第２画素領域で液晶分子の回転方向を基準軸に対して対称にする。
【００１１】
また、本発明における液晶表示装置は、前記第２電極が、平面視で前記第１帯状部の非形成領域及び該第１帯状部の形成領域の少なくとも一部と重なるように配置されていることとしてもよい。
この発明では、発生する電界方向を第１帯状部の延在方向に対してほぼ直交する方向とし、第１及び第２画素領域で液晶分子の回転方向を基準軸に対して対称にする。
【００１２】
また、本発明における液晶表示装置は、第１及び第２基板の間に負の誘電率異方性を有する液晶からなり電圧の印加によって駆動する液晶層が挟持され、複数の画素領域により画像表示領域が構成された液晶表示装置であって、前記画像表示領域に、複数の前記画素領域で構成された第１画素領域群と、他の複数の前記画素領域で構成された第２画素領域群とが設けられ、前記第１基板に第１電極が設けられると共に、前記第２基板に第２電極が形成され、駆動時における前記液晶分子の配向方向を制御する配向制御手段を有し、前記配向制御手段の構造及び前記液晶層を構成する液晶分子の初期配向方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることを特徴とする。
【００１３】
この発明では、第１画素領域群を構成する画素領域（第１画素領域）及び第２画素領域群を構成する画素領域（第２画素領域）における液晶分子の傾斜方向を基準軸に対して対称とすることで、上述と同様に、第１及び第２画素領域群で表示される画像のコントラストや階調性、色味などの差を小さくすることができる。また、画素領域ごとで液晶分子の傾斜方向をそろえることで、画素領域の開口率を高めることができる。傾くことで配向される。
すなわち、第１及び第２電極間に電圧を印加すると、液晶分子は、第１及び第２電極間に発生した電界方向に対して傾斜するように立ち上がるか倒れる。この傾斜方向は、配向制御手段によって定められる。ここで、液晶分子の初期配向方向及び配向制御手段の構造が第１及び第２画素領域で基準軸に対して対称にすることで、液晶分子の傾斜方向が第１及び第２画素領域で基準軸に対して対称となる。
なお、本発明では、画素領域のうち画像の表示に主に用いられる部分において液晶分子の傾斜方向が基準軸に対して対称となっていればよく、画素領域の辺縁部のように画像の表示にほとんど用いられない部分において対称となっていなくてもよい。
【００１４】
また、本発明における液晶表示装置は、前記配向制御手段が、前記第１及び第２基板のいずれか一方または双方に形成された帯状の凸部を有し、該凸部の延在方向が、それぞれの前記画素領域群ごとで同方向であると共に、前記第１画素領域群を構成する前記画素領域と該画素領域に隣接して前記第２画素領域群を構成する前記画素領域との間で、前記画像表示領域の面方向に沿った基準軸に対して対称であることとしてもよい。
この発明では、液晶分子が発生した電界によって帯状の凸部の延在方向に対して直交するように傾斜する。これにより、液晶分子の傾斜方向が、第１及び第２画素領域で基準軸に対して対称になる。
【００１５】
また、本発明における液晶表示装置は、前記配向制御手段が、前記第１基板上の前記第１電極及び前記第２基板上の前記第２電極のいずれか一方または双方に形成された帯状の開口部を有し、該開口部の延在方向が、それぞれの前記画素領域群ごとで同方向であると共に、前記１画素領域群を構成する前記画素領域と該画素領域に隣接して前記第２画素領域群を構成する前記画素領域との間で、前記画像表示領域の面方向に沿った基準軸に対して対称であることとしてもよい。
この発明では、液晶分子が発生した電界によって帯状の凹部の延在方向に対して直交するように傾斜する。これにより、液晶分子の傾斜方向が、第１及び第２画素領域で基準軸に対して対称になる。
【００１６】
また、本発明における液晶表示装置は、前記液晶分子の初期配向方向が、平面視で前記基準軸と直交または平行であることが好ましい。
この発明では、初期配向方向を基準軸に対して直交または平行とすることで、第１及び第２画素領域で初期配向方向の設定が容易になる。すなわち、液晶分子の初期配向方向は、第１及び第２基板に配向処理が施された配向膜を設けることによって規制するが、第１及び第２画素領域のそれぞれで配向処理を異ならせる必要がなくなる。したがって、複数の画素領域で一括して配向処理が行えるので、製造が容易になる。
【００１７】
また、本発明における液晶表示装置は、前記第１及び第２基板のそれぞれに、透過軸が前記基準軸と直交または平行である偏光板が設けられていることが好ましい。
この発明では、偏光板の透過軸を基準軸に対して直交または平行とすることで、第１及び第２画素領域ごとに透過軸の方向を異ならせる必要がなくなる。したがって、透過軸の設定が容易になる。
【００１８】
また、本発明における液晶表示装置は、前記基準軸が、互いに隣接する画素領域の境界線であることとしてもよい。
この発明では、第１及び第２画素領域の境界を基準として、液晶分子の挙動を対称にする。
【００１９】
また、本発明における電子機器は、上記記載の液晶表示装置を備えることを特徴とする。
この発明では、第１及び第２画素領域において液晶分子の挙動を対称にすることで、第１及び第２画素領域郡で表示される画像のコントラストなどの差を小さくできる。また、画素領域ごとで液晶分子の挙動をそろえることで、画素領域の開口率が向上する。
【発明を実施するための最良の形態】
【００２０】
［第１の実施形態］
以下、本発明における液晶表示装置の第１の実施形態を、図面に基づいて説明する。なお、以下の説明に用いる各図面では、各部材を認識可能な大きさとするために縮尺を適宜変更している。ここで、図１は液晶表示装置を示す平面構成図、図２は図１のＡ−Ａ矢視断面図、図３は液晶表示装置を示す等価回路図、図４はサブ画素領域の平面構成図、図５は図４のＢ−Ｂ矢視断面図である。
【００２１】
〔液晶表示装置〕
まず、液晶表示装置１の概略構成について説明する。本実施形態における液晶表示装置１は、ＦＦＳ方式を用いたアクティブマトリクス方式の液晶表示装置であって、Ｒ（赤）、Ｇ（緑）、Ｂ（青）の各色光を出力する３個のサブ画素で１個の画素を構成する液晶表示装置である。ここで、表示を構成する最小単位となる表示領域を「サブ画素領域（画素領域）」と称する。
【００２２】
液晶表示装置１は、図１及び図２に示すように、素子基板（第１基板）１１と、素子基板１１と対向配置された対向基板（第２基板）１２と、素子基板１１及び対向基板１２に挟持された液晶層１３とを備えている。また、液晶表示装置１は、素子基板１１及び対向基板１２をシール材１４で貼り合わせており、液晶層１３をシール材１４で区画された領域内に封止している。そして、液晶表示装置１は、シール材１４の内側に沿って設けられた周辺見切１５を備えており、この周辺見切で囲まれた平面視（対向基板１２側から素子基板１１を見た状態）でほぼ矩形状の領域を画像表示領域１６としている。
さらに、液晶表示装置１は、シール材１４の外側領域であって素子基板１１の一辺に沿って設けられたデータ線駆動回路２１と、上記一辺と隣接する二辺に沿ってそれぞれ設けられた走査線駆動回路２２と、データ線駆動回路２１と導通する接続端子２３と、走査線駆動回路２２を接続する配線２４とを備えている。
【００２３】
また、液晶表示装置１は、図１及び図３に示すように、画像表示領域１６を構成する複数の第１及び第２サブ画素領域２５Ａ、２５Ｂがマトリクス状に配置されている。
ここで、図１に示すように、赤（Ｒ）色光を出力する第１及び第２サブ画素領域２５Ａ、２５Ｂが一方向で交互に配置されており、緑（Ｇ）色光を出力する第１及び第２サブ画素領域２５Ａ、２５Ｂが赤（Ｒ）色光を出力する第１及び第２サブ画素領域２５Ａ、２５Ｂに隣接して一方向（平面視でほぼ矩形状の画像表示領域１６の一辺方向）で交互に配置されており、青（Ｂ）色光を出力する第１及び第２サブ画素領域２５Ａ、２５Ｂが緑（Ｇ）色光を出力する第１及び第２サブ画素領域２５Ａ、２５Ｂに隣接して一方向で交互に配置されている。また、第１及び第２サブ画素領域２５Ａ、２５Ｂは、上記一方向と直交する方向でも交互に配置されている。そして、これら第１サブ画素領域２５Ａによって第１サブ画素領域群（第１画素領域群）２６Ａが構成され、第２サブ画素領域２５Ｂによって第２サブ画素領域群（第２画素領域群）２６Ｂが構成される。したがって、第１サブ画素領域２５Ａと第２サブ画素領域２５Ｂとは、画像表示領域１６において市松状に配置されている。
【００２４】
各第１及び第２サブ画素領域２５Ａ、２５Ｂには、画素電極（第１電極）３１と、画素電極３１をスイッチング制御するためのＴＦＴ（Thin Film Transistor：薄膜トランジスタ）素子３２とが設けられている。また、画像表示領域１６には、複数のデータ線３３及び走査線３４が格子状に配置されている。
【００２５】
ＴＦＴ素子３２は、ソースがデータ線３３に接続され、ゲートが走査線３４に接続され、ドレインが画素電極３１に接続されている。そして、データ線３３は、データ線駆動回路２１に接続されており、データ線駆動回路２１から供給される画像信号Ｓ１、Ｓ２、…、Ｓｎを各第１及び第２サブ画素領域２５Ａ、２５Ｂに供給する構成となっている。また、走査線３４は、走査線駆動回路２２に接続されており、走査線駆動回路２２から供給される走査信号Ｇ１、Ｇ２、…、Ｇｍを各第１及び第２サブ画素領域２５Ａ、２５Ｂに供給する構成となっている。ここで、データ線駆動回路２１は、画像信号Ｓ１〜Ｓｎをこの順に線順次で供給してもよく、互いに隣接する複数のデータ線３３同士に対してグループごとに供給してもよい。また、走査線駆動回路２２は、走査信号Ｇ１〜Ｇｍを所定のタイミングでパルス的に線順次で供給する。
【００２６】
液晶表示装置１は、スイッチング素子であるＴＦＴ素子３２が走査信号Ｇ１〜Ｇｍの入力により一定期間だけオン状態とされることで、データ線３３から供給される画像信号Ｓ１〜Ｓｎが所定のタイミングで画素電極３１に書き込まれる構成となっている。そして、画素電極３１を介して液晶に書き込まれた所定レベルの画像信号Ｓ１〜Ｓｎは、画素電極３１と後述する共通電極（第２電極）５０との間で一定期間保持される。
【００２７】
次に、液晶表示装置１の詳細な構成について、図４及び図５を参照しながら説明する。なお、図４において、各第１及び第２サブ画素領域２５Ａ、２５Ｂにおいて互いに平行するように配置されている走査線３４の延在方向に対して直交する方向をＸ軸方向、走査線３４の延在方向をＹ軸方向とする。また、図５において、帯状電極３１ｂの図示を適宜省略している。
液晶表示装置１は、図５に示すように、素子基板１１の外側（液晶層１３と反対側）に設けられた偏光板３７と、対向基板１２の外側（液晶層１３と反対側）に設けられた偏光板３８と、偏光板３７の外面側に設けられて素子基板１１の外側から照明光を照射する照明装置（図示略）とを備えている。
【００２８】
素子基板１１は、例えばガラスや石英、プラスチックなどの透光性材料で構成された基板本体４１と、基板本体４１の内側（液晶層１３側）の表面に順次積層されたゲート絶縁膜４２、第１層間絶縁膜４３、第２層間絶縁膜４４及び配向膜４５とを備えている。
また、素子基板１１は、基板本体４１の内側の表面に配置された走査線３４及び後述する各共通電極５０を接続する共通線４６と、ゲート絶縁膜４２の内側の表面に配置されたデータ線３３（図４に示す）、半導体層４７、ソース電極４８及びドレイン電極４９と、第１層間絶縁膜４３の内側の表面に配置された共通電極５０と、第２層間絶縁膜４４の内側の表面に配置された画素電極３１とを備えている。
【００２９】
ゲート絶縁膜４２は、例えばＳｉＯ２（酸化シリコン）などの透光性材料で構成されており、基板本体４１上に形成された走査線３４及び共通線４６を覆うように設けられている。
第１層間絶縁膜４３は、ゲート絶縁膜４２と同様に、例えばＳｉＮ（窒化シリコン）などの透光性材料で構成されており、ゲート絶縁膜４２上に形成されたデータ線３３、半導体層４７、ソース電極４８及びドレイン電極４９を覆うように設けられている。
第２層間絶縁膜４４は、第１層間絶縁膜４３と同様に、例えばＳｉＮなどの透光性材料で構成されており、第１層間絶縁膜４３上に形成された共通電極５０を覆うように設けられている。
【００３０】
配向膜４５は、例えばポリイミドなどの樹脂材料で構成されており、第２層間絶縁膜４４の内側の表面に形成された画素電極３１を覆うように設けられている。また、配向膜４５の表面には、第１及び第２サブ画素領域２５Ａ、２５Ｂの短軸方向（Ｙ軸方向）を配向方向とする配向処理が施されている。
【００３１】
データ線３３は、図４に示すように、平面視で矩形状の第１及び第２サブ画素領域２５Ａ、２５Ｂの長軸方向（Ｘ軸方向）に沿って配置されている。また、走査線３４は、第１及び第２サブ画素領域２５Ａ、２５Ｂの短軸方向（Ｙ軸方向）に沿って配置されている。また、共通線４６は、走査線３４の画素電極３１側に隣接して、この走査線３４と平行に延在するように配置されている。したがって、データ線３３、走査線３４及び共通線４６は、平面視でほぼ格子状に配線されている。
【００３２】
半導体層４７は、図４及び図５に示すように、走査線３４とゲート絶縁膜４２を介して平面視で重なる領域に部分的に形成されたアモルファスシリコンなどの半導体で構成されている。また、ソース電極４８は、データ線３３から分岐しており、一部が半導体層４７の一部を覆うように形成されている。そして、ドレイン電極４９は、一部が半導体層４７の一部を覆うように形成されており、第１及び第２層間絶縁膜４３、４４を貫通するコンタクトホールＨ１を介して画素電極３１と導通している。これら半導体層４７、ソース電極４８及びドレイン電極４９によって、ＴＦＴ素子３２が構成されている。また、ＴＦＴ素子３２は、データ線３３及び走査線３４の交差部近傍に設けられている。
【００３３】
共通電極５０は、図５に示すように、第１層間絶縁膜４３を覆うように形成されており、例えばＩＴＯ（酸化インジウムスズ）などの透光性導電材料で構成されている。
画素電極３１は、図４に示すように、平面視でほぼ梯子形状であって、共通電極５０と同様に、例えばＩＴＯなどの透光性導電材料で構成されている。そして、画素電極３１は、平面視で矩形の枠状の枠部３１ａと、ほぼ第１及び第２サブ画素領域２５Ａ、２５Ｂの短軸方向（Ｘ軸方向）に延在すると共に第１及び第２サブ画素領域２５Ａ、２５Ｂの長軸方向（Ｙ軸方向）で間隔をあけて複数（１５本）配置された帯状電極（第１帯状部）３１ｂとを備えている。
【００３４】
枠部３１ａは、平面視でほぼ矩形状の枠状であって、互いに対向する２対の辺がそれぞれＸ軸方向及びＹ軸方向に沿って延在している。
帯状電極３１ｂは、互いが平行となるように間隔をあけて形成されている。そして、帯状電極３１ｂは、その両端がそれぞれ枠部３１ａのうちＹ軸方向に沿って延在する部分に接続されている。
【００３５】
ここで、第１サブ画素領域２５Ａにおける帯状電極３１ｂの延在方向と、第２サブ画素領域２５Ｂにおける帯状電極３１ｂの延在方向とは、第１及び第２サブ画素領域２５Ａ、２５ＢのＸ軸方向に沿った境界線を基準軸Ｌ１として対称となっている。すなわち、第１サブ画素領域２５Ａにおける帯状電極３１ｂは、平面視においてデータ線３３から離間する一端から近接する他端に向かうにしたがって走査線３４に近接するように形成されており、第２サブ画素領域２５Ｂにおける帯状電極３１ｂは、平面視においてデータ線３３から離間する一端から近接する他端に向かうにしたがって走査線３４から離間するように形成されている。
したがって、画素電極３１及び共通電極５０は、基準軸Ｌ１に対して対称になっている。
【００３６】
以上より、液晶表示装置１は、帯状電極３１ｂと共通電極５０との間に電圧を印加し、これによって生じる基板平面方向の電界（横電界）によって液晶を駆動する構成となっている。また、共通電極５０は、平面視で第２層間絶縁膜４４を介して帯状電極３１ｂの非形成領域及び帯状電極３１ｂの形成領域と重なるように形成されている。これにより、画素電極３１と共通電極５０とは、ＦＦＳ方式の電極構造を構成している。
【００３７】
一方、対向基板１２は、図５に示すように、例えばガラスや石英、プラスチックなどの透光性材料で構成され基板本体５１と、基板本体５１の内側（液晶層１３側）の表面に順次積層された遮光膜５２、カラーフィルタ層５３及び配向膜５４とを備えている。
遮光膜５２は、基板本体５１の表面のうち平面視で各第１及び第２サブ画素領域２５Ａ、２５Ｂの縁部と重なる領域に形成されており、各第１及び第２サブ画素領域２５Ａ、２５Ｂを縁取っている。
また、カラーフィルタ層５３は、各第１及び第２サブ画素領域２５Ａ、２５Ｂに対応して配置されており、例えばアクリルなどで構成されて各第１及び第２サブ画素領域２５Ａ、２５Ｂで表示する色に対応する色材を含有している。
【００３８】
配向膜５４は、配向膜４５と同様に例えばポリイミドなどの樹脂材料で構成されており、その配向方向が配向膜４５と反平行となっている。したがって、第１サブ画素領域２５Ａにおける液晶分子の初期配向方向と第２サブ画素領域２５Ｂにおける液晶分子の初期配向方向とは、図４に示すように、基準軸Ｌ１に対して対称になっている。なお、これら画素電極３１、共通電極５０及び配向膜４５、５４によって、挙動制御手段が構成される。
【００３９】
偏光板３７は、図４及び図５に示すように、透過軸が第１及び第２サブ画素領域２５Ａ、２５Ｂの長軸方向（Ｘ軸方向）に沿うように設けられており、偏光板３８は、透過軸が第１及び第２サブ画素領域２５Ａ、２５Ｂの短軸方向（Ｙ軸方向）に沿うように設けられており、互いの透過軸が直交している。したがって、偏光板３７、３８は、その透過軸が基準軸Ｌ１に対して平面視で直交または平行となっている。
ここで、偏光板３７、３８の一方または双方の内側には、光学補償フィルム（図示略）を配置してもよい。光学補償フィルムを配置することで、液晶表示装置１を斜視した場合の液晶層１３の位相差を補償することができ、光漏れを減少させてコントラストを増加させることができる。光学補償フィルムとしては、負の一軸性媒体と正の一軸性媒体とを組み合わせたものや、各方向の屈折率がｎｘ＞ｎｚ＞ｎｙである二軸性媒体が用いられる。
【００４０】
また、液晶表示装置１は、偏光板３８の外側に設けられた例えばパララックスバリアやレンチキュラーレンズなどの光学部材（図示略）が設けられている。この光学部材は、液晶表示装置１が三次元表示を行う場合、例えば第１サブ画素領域群２６Ａで表示される画像を観察者の右目に入射させて左目に入射することを防止し、第２サブ画素領域群２６Ｂで表示される画像を観察者の左目に入射させて右目に入射することを防止する。また、光学部材は、液晶表示装置１が二画面表示を行う場合、例えば第１サブ画素領域群２６Ａで表示される画像を正面視で液晶表示装置１の右側に位置する観察者の目に入射させて液晶表示装置１の左側に位置する観察者の目に入射することを防止し、第２サブ画素領域群２６Ｂで表示される画像を液晶表示装置１の左側に位置する観察者の目に入射させて液晶表示装置１の右側に位置する観察者の眼に入射することを防止する。
【００４１】
〔液晶表示装置の動作〕
次に、このような液晶表示装置１における液晶分子１３Ａの非駆動時及び駆動時の挙動について、図６を参照しながら説明する。ここで、図６（ａ）は非駆動時における液晶分子１３Ａの配向方向、図６（ｂ）は駆動時における液晶分子１３Ａの配向方向をそれぞれ示している。
まず、画素電極３１及び共通電極５０間に電圧を印加していない非駆動時の場合、液晶分子１３Ａは、図６（ａ）に示すような方向に配向している。すなわち、第１サブ画素領域２５Ａでは、液晶分子１３Ａが配向膜４５、５４の配向方向に沿って配向している。また、第２サブ画素領域２５Ｂでは、液晶分子１３Ａが配向膜４５、５４の配向方向に沿って配向している。このとき、第１及び第２サブ画素領域２５Ａ、２５Ｂのそれぞれで液晶分子１３Ａの配向方向は、基準軸Ｌ１に対して対称になっている。
【００４２】
そして、画素電極３１及び共通電極５０間に電圧を印加すると、帯状電極３１ｂの延在方向とほぼ直交する方向に電界が発生する。これにより、液晶分子１３Ａは、図６（ｂ）に示すような方向で回転する。すなわち、第１サブ画素領域２５Ａでは、液晶分子１３Ａが電界方向に沿うように平面視（対向基板１２側から素子基板１１を見た状態）で反時計回り（図６（ｂ）に示す矢印Ｒ１方向）で回転する。また、第２サブ画素領域２５Ｂでは、液晶分子１３Ａが電界方向に沿うように平面視で時計回り（図６（ｂ）に示す矢印Ｒ２方向）で回転する。このとき、第１及び第２サブ画素領域２５Ａ、２５Ｂのそれぞれで液晶分子１３Ａの回転方向は、基準軸Ｌ１に対して対称になっている。
以上より、液晶表示装置１では、非駆動時と駆動時とで液晶分子１３Ａの回転方向（挙動）が基準軸Ｌ１に対して対称になっている。
【００４３】
〔電子機器〕
以上のような構成の液晶表示装置１は、例えば図７に示すような携帯電話機１００の表示部１０１として適用される。この携帯電話機１００は、複数の操作ボタン１０２、受話口１０３、送話口１０４及び上記表示部１０１を有する本体部１０５を備えている。
【００４４】
以上のように、本実施形態における液晶表示装置１及び携帯電話機１００によれば、第１及び第２サブ画素領域２５Ａ、２５Ｂで液晶分子１３Ａの駆動時及び非駆動時における回転方向を第１及び第２サブ画素領域２５Ａ、２５Ｂの境界を基準軸Ｌ１として対称にすることで、基準軸Ｌ１の一方側から第１サブ画素領域群２６Ａを見たときと他方側から第２サブ画素領域２５Ｂを見たときとの出射角度が同等となるので、第１及び第２サブ画素領域群２６Ａ、２６Ｂで表示される画像のコントラストなどの画質の差を小さくできる。
また、第１及び第２サブ画素領域２５Ａ、２５Ｂのそれぞれで液晶分子１３Ａの回転方向が同方向であるため、各第１及び第２サブ画素領域２５Ａ、２５Ｂの開口率を高めることができる。
【００４５】
そして、配向膜４５、５４の配向方向を基準軸Ｌ１に対して直交方向としているので、第１及び第２サブ画素領域２５Ａ、２５Ｂのそれぞれで異なる配向処理を施す必要がなくなる。これにより、配向膜４５、５４に対して一括して配向処理を行えるので、製造が容易になる。
また、偏光板３７、３８の透過軸を基準軸Ｌ１に対して直交方向または平行としているので、第１及び第２サブ画素領域２５Ａ、２５Ｂのそれぞれで異ならせる必要がなくなる。これにより、偏光板３７、３８の透過軸の設定が容易になる。
【００４６】
［第２の実施形態］
次に、本発明における液晶表示装置の第２の実施形態を、図面に基づいて説明する。ここで、図８はサブ画素領域の平面構成図、図９は図８のＣ−Ｃ矢視断面図である。なお、本実施形態では、第１の実施形態とサブ画素領域の構成が異なるため、この点を中心に説明すると共に、上記実施形態で説明した構成要素には同一符号を付し、その説明を省略する。また、図８において、平面視でほぼ平行四辺形状の第１及び第２サブ画素領域２０２Ａ、２０２Ｂのそれぞれで互いが平行となるように配置されている走査線２０７の延在方向に対して直交する方向をＸ軸方向、走査線２０７の延在方向をＹ軸方向とする。
【００４７】
本実施形態における液晶表示装置２００は、図８及び図９に示すように、ＩＰＳ方式を用いたアクティブマトリクス方式の液晶表示装置である。
本実施形態における液晶表示装置２００は、素子基板２０１と対向基板１２と液晶層１３とを備えている。そして、第１サブ画素領域群を構成して平面視でほぼ平行四辺形状の第１サブ画素領域２０２Ａと、第２サブ画素領域群を構成して平面視でほぼ平行四辺形状の第２サブ画素領域２０２Ｂとが、後述する走査線２０７に沿ってそれぞれ配置されている。また、第１及び第２サブ画素領域２０２Ａ、２０２Ｂは、後述するデータ線２０９に沿って交互に配置されている。
【００４８】
素子基板２０１は、図９に示すように、基板本体４１と、基板本体４１の内側の表面に順次積層されたゲート絶縁膜４２、層間絶縁膜２０５及び配向膜２０６とを備えている。
また、素子基板２０１は、基板本体４１の内側の表面に配置された走査線２０７及び容量線２０８と、ゲート絶縁膜４２の内側に配置されたデータ線２０９（図８に示す）、半導体層４７、ソース電極４８、ドレイン電極４９及び容量電極２１０と、層間絶縁膜２０５の内側の表面に配置された共通電極２１１及び画素電極２１２とを備えている。
【００４９】
層間絶縁膜２０５は、第１の実施形態における第１及び第２層間絶縁膜４３、４４と同様に、例えばＳｉＮなどの透光性材料で構成されており、ゲート絶縁膜４２上に形成されたデータ線２０９（図８に示す）、半導体層４７、ソース電極４８及びドレイン電極４９を覆うように設けられている。
【００５０】
配向膜２０６は、第１の実施形態における配向膜４５と同様に、例えばポリイミドなどの樹脂材料で構成されており、層間絶縁膜２０５上に形成された共通電極２１１及び画素電極２１２を覆うように設けられている。また、配向膜２０６の表面には、図８に示すように、第１及び第２サブ画素領域２０２Ａ、２０２Ｂの短辺方向に対する直交方向（Ｘ軸方向）を配向方向とする配向処理が施されている。なお、対向基板１２の配向膜５４の表面にも、その配向方向が配向膜２０６と反平行となるように配向処理が施されている。したがって、第１サブ画素領域２０２Ａにおける液晶分子の初期配向方向と第２サブ画素領域２０２Ｂにおける液晶分子の初期配向方向とは、第１及び第２サブ画素領域２０２Ａ、２０２Ｂの短辺方向（Ｙ軸方向）に沿った境界線を基準軸Ｌ２として線対称となっている。
【００５１】
容量線２０８は、走査線３４と画素電極２１２を介して対向する位置であって走査線３４に沿って配置されている。
容量電極２１０は、平面視でほぼ矩形状を有していると共に、図８及び図９に示すように、容量線２０８及び画素電極２１２の後述するコンタクト部２１２ａとゲート絶縁膜４２や層間絶縁膜２０５などを介して重なるように形成されている。そして、容量電極２１０は、層間絶縁膜２０５を貫通するコンタクトホールＨ２を介してコンタクト部２１２ａと導通している。さらに、容量電極２１０と容量線２０８とによって蓄積容量２１３が形成されている。この蓄積容量２１３は、画素電極２１２と共通電極２１１との間に形成される液晶容量と並列接続されている。また、容量電極２１０は、図８に示すように、平面視でほぼＬ字状の接続配線２１４によってドレイン電極４９と接続されている。この接続配線２１４は、第１及び第２サブ画素領域２０２Ａ、２０２Ｂの辺縁のうち走査線３４及び第１及び第２サブ画素領域２０２Ａ、２０２Ｂの長辺に沿って形成されている。
データ線２０９は、平面視で平行四辺形状の第１及び第２サブ画素領域２０２Ａ、２０２Ｂの長辺方向に沿って配置されている。
【００５２】
共通電極２１１は、図９に示すように、層間絶縁膜２０５上に形成されており、平面視でほぼ櫛歯状となっている。そして、共通電極２１１は、図８に示すように、ゲート絶縁膜４２及び層間絶縁膜２０５を介して平面視で重なる位置であって走査線３４に沿って形成された本線部２１１ａと、本線部２１１ａから延出されて第１及び第２サブ画素領域２０２Ａ、２０２Ｂの長辺方向にほぼ沿って延在すると共にＹ軸方向で間隔をあけて複数（２本）配置された帯状電極（第２帯状部）２１１ｂとを備えている。
帯状電極２１１ｂは、互いが平行となるように形成されており、その一端が本線部２１１ａに接続されている。
【００５３】
画素電極２１２は、図９に示すように、層間絶縁膜２０５上に形成されており、平面視でほぼ櫛歯状となっている。そして、画素電極２１２は、接続配線２１４と導通しているコンタクト部２１２ａと、コンタクト部２１２ａに接続されて容量線２０８に沿って延在する基端部２１２ｂと、第１及び第２サブ画素領域２０２Ａ、２０２Ｂの長辺方向にほぼ沿うように延在すると共にＹ軸方向で間隔をあけて複数（３本）配置された帯状電極（第１帯状部）２１２ｃとを備えている。帯状電極２１２ｃは、互いが平行となるように形成されており、その一端が基端部２１２ｂに接続されている。
【００５４】
ここで、第１サブ画素領域２０２Ａにおける帯状電極２１１ｂ、２１２ｃの延在方向と、第２サブ画素領域２０２Ｂにおける帯状電極２１１ｂ、２１２ｃの延在方向とは、図８に示すように、基準軸Ｌ２に対して対称となっている。すなわち、第１サブ画素領域２０２Ａにおける帯状電極２１１ｂと第２サブ画素領域２０２Ｂにおける帯状電極２１２ｃとは、平面視において、第１及び第２サブ画素領域２０２Ａ、２０２Ｂの境界線の近傍に配置された一方の走査線２０７（図８では第２サブ画素領域２０２Ｂの走査線２０７）から離間する一端から近接する他端に向かうにしたがって第１及び第２サブ画素領域２０２Ａ、２０２Ｂの境界線の近傍に配置された一方のＴＦＴ素子３２（図８では第２サブ画素領域２０２ＢのＴＦＴ素子３２）から離間するように形成されている。
したがって、画素電極２１２及び共通電極２１１は、基準軸Ｌ２に対して対称となっている。なお、これら画素電極２１２、共通電極２１１及び配向膜２０６、５４によって、挙動制御手段が構成される。
【００５５】
以上より、液晶表示装置２００は、帯状電極２１１ｂ、２１２ｃの間に電圧を印加し、これによって生じる基板平面方向の電界（横電界）によって液晶を駆動する構成となっている。また、帯状電極２１１ｂは、平面視で層間絶縁膜２０５を介して帯状電極２１２ｃの非形成領域と重なるように形成されている。これにより、画素電極２１２と共通電極２１１とは、ＩＰＳ方式の電極構造を構成している。
【００５６】
〔液晶表示装置の動作〕
次に、このような液晶表示装置２００における液晶分子１３Ａの非駆動時及び駆動時の挙動について、図１０を参照しながら説明する。ここで、図１０（ａ）は非駆動時における液晶分子１３Ａの配向方向、図１０（ｂ）は駆動時における液晶分子１３Ａの配向方向をそれぞれ示している。
まず、画素電極２１２及び共通電極２１１間に電圧を印加していない非駆動時の場合、液晶分子１３Ａは、図１０（ａ）に示すような方向に配向している。すなわち、第１サブ画素領域２０２Ａでは、液晶分子１３Ａが配向膜２０６、５４の配向方向に沿って配向している。また、第２サブ画素領域２０２Ｂでは、液晶分子１３Ａが配向膜２０６、５４の配向方向に沿って配向している。このとき、第１及び第２サブ画素領域２０２Ａ、２０２Ｂのそれぞれで液晶分子１３Ａの配向方向は、基準軸Ｌ２に対して対称となっている。
【００５７】
そして、画素電極２１２及び共通電極２１１間に電圧を印加すると、帯状電極２１１ｂ、２１２ｃの延在方向とほぼ直交する方向に電界が発生する。これにより、液晶分子１３Ａは、図１０（ｂ）に示すような方向で回転する。すなわち、第１サブ画素領域２０２Ａでは、液晶分子１３Ａが電界に沿うように平面視（対向基板１２側から素子基板２０１を見た状態）で反時計回り（図１０（ｂ）に示す矢印Ｒ３方向）で回転する。また、第２サブ画素領域２０２Ｂでは、液晶分子１３Ａが平面視で時計回り（図１０（ｂ）に示す矢印Ｒ４方向）で回転する。このとき、第１及び第２サブ画素領域２０２Ａ、２０２Ｂのそれぞれで液晶分子１３Ａの回転方向は、基準軸Ｌ２に対して対称となっている。
以上より、液晶表示装置２００では、非駆動時と駆動時とで液晶分子１３Ａの回転方向（挙動）が基準軸Ｌ２に対して対称になっている。
【００５８】
このような構成の液晶表示装置２００においても、上述と同様の作用、効果を奏する。
【００５９】
［第３の実施形態］
次に、本発明における液晶表示装置の第３の実施形態を、図面に基づいて説明する。ここで、図１１はサブ画素領域の平面構成図、図１２は図１１のＤ−Ｄ矢視断面図である。なお、本実施形態では、第１の実施形態とサブ画素領域の構成が異なるため、この点を中心に説明すると共に、上記実施形態で説明した構成要素には同一符号を付し、その説明を省略する。また、図１１において、平面視でほぼ矩形状の第１及び第２サブ画素領域３０３Ａ、３０３Ｂのそれぞれにおいて互いが平行となるように配置されている走査線３４の延在方向に対して直交する方向をＸ軸方向、走査線３４の延在方向をＹ軸方向とする。
【００６０】
本実施形態における液晶表示装置３００は、図１１及び図１２に示すように、ＶＡモードの液晶層１３を用いたアクティブマトリックス方式の液晶表示装置である。
本実施形態における液晶表示装置３００は、素子基板３０１と対向基板３０２と液晶層１３とを備えている。そして、第１サブ画素領域群を構成して平面視でほぼ矩形状の第１サブ画素領域３０３Ａと、第２サブ画素領域群を構成して平面視でほぼ矩形状の第２サブ画素領域３０３Ｂとが、走査線３４に沿ってそれぞれ配置されている。また、第１及び第２サブ画素領域３０３Ａ、３０３Ｂとは、データ線３３に沿って交互に配置されている。
【００６１】
素子基板３０１は、図１２に示すように、基板本体４１と、基板本体４１の内側の表面に順次積層されたゲート絶縁膜４２、層間絶縁膜２０５及び配向膜３０５とを備えている。
また、素子基板３０１は、基板本体４１の内側の表面に配置された走査線３４と、ゲート絶縁膜４２の内側に配置されたデータ線３３（図１１に示す）、半導体層４７、ソース電極４８、ドレイン電極４９と、層間絶縁膜２０５の内側の表面に配置された画素電極３０７とを備えている。
【００６２】
配向膜３０５は、第１及び第２の実施形態における配向膜４５と同様に、例えばポリイミドなどの樹脂材料で構成されており、層間絶縁膜２０５上に形成された画素電極２１２を覆うように設けられている。また、配向膜３０５の表面には、垂直方向（素子基板３０１、液晶層１３及び対向基板３０２の積層方向）を配向方向とする配向処理が施されている。
【００６３】
画素電極３０７は、層間絶縁膜２０５上に形成されており、平面視でほぼ矩形状となっている。また、画素電極３０７は、層間絶縁膜２０５に形成された貫通であるコンタクトホールＨ３を介してドレイン電極４９に接続されている。そして、画素電極３０７には、複数のスリット（開口部、配向制御手段）３０７ａが形成されている。このスリット３０７ａは、互いが平行となるように形成されている。
ここで、第１サブ画素領域３０３Ａにおけるスリット３０７ａの延在方向と、第２サブ画素領域３０３Ｂにおけるスリット３０７ａの延在方向とは、図１１に示すように、第１及び第２サブ画素領域３０３Ａ、３０３ＢのＸ軸方向に沿った境界線を基準軸Ｌ３として対称となっている。すなわち、第１サブ画素領域３０３Ａにおけるスリット３０７ａは、平面視において、走査線３４から離間する一端から近接する他端に向かうにしたがってデータ線３３に近接するように形成されており、第２サブ画素領域３０３Ｂにおけるスリット３０７ａは、走査線３４から離間する一端から近接する他端に向かうにしたがってデータ線３３から離間するように形成されている。
【００６４】
一方、対向基板３０２は、図１２に示すように、基板本体５１と、基板本体５１の内側の表面に順次積層された遮光膜５２、カラーフィルタ層５３、共通電極３０８及び配向膜３０９とを備えている。
共通電極３０８は、カラーフィルタ層５３を覆うように形成されている。また、共通電極３０８の内側の表面には、液晶層１３に向けて突出する複数の帯状凸部（凸部、配向制御手段）３１０が形成されている。
この帯状凸部３１０は、図１１に示すように、互いが平行となるように形成されており、断面がほぼ半円形状となっている。また、帯状凸部３１０は、例えばノボラック型のポジ型フォトレジストをパターニングすることで形成されている。
ここで、第１サブ画素領域３０３Ａにおける帯状凸部３１０の延在方向と、第２サブ画素領域３０３Ｂにおける帯状凸部３１０の延在方向とは、基準軸Ｌ３に対して対称となっている。すなわち、第１サブ画素領域３０３Ａにおける帯状凸部３１０は、平面視において、走査線３４から離間する一端から近接する他端に向かうにしたがってデータ線３３に近接するように形成されており、第２サブ画素領域３０３Ｂにおける帯状凸部３１０は、走査線３４から離間する一端から近接する他端に向かうにしたがってデータ線３３から離間するように形成されている。
【００６５】
配向膜３０９は、第１及び第２の実施形態における配向膜５４と同様に、例えばポリイミドなどの樹脂材料で構成されており、共通電極３０８及び帯状凸部３１０を覆うように設けられている。また、配向膜３０９の表面には、垂直方向（対向基板３０２、液晶層１３及び素子基板３０１の積層方向）を配向方向とする配向処理が施されている。したがって、第１サブ画素領域３０３Ａにおける液晶分子の初期配向方向と第２サブ画素領域３０３Ｂにおける液晶分子の初期配向方向とは、基準軸Ｌ３に対して対称となっている。そして、これら画素電極３０７、共通電極３０８及び配向膜３０５、３０９によって、挙動制御手段が構成される。
【００６６】
〔液晶表示装置の動作〕
次に、このような液晶表示装置３００における液晶分子１３Ａの非駆動時及び駆動時の挙動について、図１３を参照しながら説明する。ここで、図１３（ａ）は非駆動時における液晶分子１３Ａの配向方向、図１３（ｂ）は駆動時における液晶分子１３Ａの配向方向をそれぞれ示している。
まず、画素電極３０７及び共通電極３０８間に電圧を印加していない非駆動時の場合、液晶分子１３Ａは、図１３（ａ）に示すような方向に配向している。すなわち、第１サブ画素領域３０３Ａでは、液晶分子１３Ａが配向膜３０５、３０９の配向方向に沿って素子基板３０１や対向基板３０２に対して垂直方向に配向している。また、第２サブ画素領域３０３Ｂでも、液晶分子１３Ａが配向膜３０５、２０９の配向方向に沿って素子基板３０１や対向基板３０２に対して垂直方向に配向している。このとき、第１及び第２サブ画素領域３０３Ａ、３０３Ｂのそれぞれで液晶分子１３Ａの配向方向は、基準軸Ｌ３に対して対称となっている。
【００６７】
そして、画素電極３０７及び共通電極３０８間に電圧を印加すると、液晶層１３に対して垂直な方向に電界が発生する。これにより、液晶分子１３Ａは、図１３（ｂ）に示すような方向で回転する。すなわち、第１サブ画素領域３０３Ａでは、液晶分子１３Ａが平面視（対向基板３０２側から素子基板３０１を見た状態）でスリット３０７ａ及び帯状凸部３１０の延在方向に対する直交方向に傾く。ここで、液晶分子１３Ａは、帯状凸部３１０から外側に向かう方向（図１３（ｂ）に矢印Ｒ５、Ｒ６方向）で傾斜するように配向する。また、第２サブ画素領域３０３Ｂでは、液晶分子１３Ａが帯状凸部３１０から外側に向かう方向（図１３（ｂ）に示す矢印Ｒ７、Ｒ８方向）で傾斜するように配向する。
このとき、第１及び第２サブ画素領域３０３Ａ、３０３Ｂのそれぞれで液晶分子１３Ａの傾斜方向は、基準軸Ｌ３に対して対称となっている。
以上より、液晶表示装置３００では、非駆動時と駆動時とで液晶分子１３Ａの傾斜方向（挙動）が基準軸Ｌ３に対して対称になっている。
【００６８】
このような構成の液晶表示装置３００においても、上述と同様の作用、効果を奏する。
【００６９】
なお、本発明は上記実施形態に限定されるものではなく、本発明の趣旨を逸脱しない範囲において種々の変更を加えることが可能である。
例えば、第１サブ画素領域と第２サブ画素領域群とが隣接して配置されていればよく、第１や第３の実施形態において第２の実施形態のように第１サブ画素領域と第２サブ画素領域とをストライプ状に配置してもよく、第２の実施形態において第１や第３の実施形態のように第１サブ画素領域と第２サブ画素領域とを市松状に配置してもよい。また、これ以外の配置方法であってもよい。
【００７０】
また、第３の実施形態において、帯状凸部を素子基板に設けてもよく、素子基板及び対向基板の双方に設けてもよい。同様に、スリットを共通電極に設けてもよく、画素電極及び共通電極の双方に設けてもよい。さらに、他の方法によって凹部を形成してもよい。
また、画素電極及び共通電極の形状は、液晶分子の挙動を第１及び第２サブ画素領域で基準軸に対して対称となっていれば、適宜変更してもよい。
また、液晶分子の初期配向方向を平面視で基準軸と平行または直交としているが、他の角度であってもよい。このとき、配向膜に対して第１及び第２サブ画素領域のそれぞれと対応する領域で異なる配向方向を有するようにマルチドメイン配向を行う必要があるが、光反応性を有する光配向材料膜に対して特定の偏光方向を有する光を照射することで膜内の分子を一方向に配列させて配向機能を発現させる配向処理である光配向処理を用いることが好ましい。
また、偏光板の透過軸を平面視で基準軸と直交または平行とさせているが、これに限られない。
また、基準軸を第１及び第２サブ画素領域の境界として液晶分子の挙動を対称にしているが、画像表示領域の面方向と平行であれば、適宜変更してもよい。
【００７１】
また、第１電極をＴＦＴ素子に接続した画素電極とすると共に第２電極を共通電極としているが、第２電極を画素電極とすると共に第１電極を共通電極としてもよい。
また、第２の実施形態において、画素電極及び共通電極の双方を層間絶縁膜上に形成しているが、画素電極及び共通電極を異なる層に形成する構成としてもよい。
また、第１サブ画素領域群で表示されて画像表示領域を正面視したときの一方側に視覚させる画像を他方側から視認することを防止すると共に、第２サブ画素領域群で表示されて他方側に視覚させる画像を一方側から視認することを防止できれば、パララックスレンズやレンチキュラーレンズなどの光学部材を設けなくてもよい。
【００７２】
また、液晶表示装置は、画素電極をスイッチング制御する駆動素子としてＴＦＴ素子を用いているが、ＴＦＴ素子に限らず、ＴＦＤ（Thin Film Diode：薄膜ダイオード）素子など、他の駆動素子を用いてもよい。
そして、液晶表示装置は、ノーマリブラックモードを採用しているが、ノーマリホワイトモードを採用してもよい。
さらに、液晶表示装置は、透過型の液晶表示装置としているが、例えば反射型など他の構成の液晶表示装置であってもよい。
また、液晶表示装置は、Ｒ、Ｇ、Ｂの３色の色表示を行うカラー液晶表示装置としているが、他の色表示を行うサブ画素領域を備える構成としてもよく、単色の色表示を行う構成としてもよい。ここで、対向基板にカラーフィルタ層を設けずに、素子基板にカラーフィルタ層を設けてもよい。
【００７３】
また、液晶表示装置を備える電子機器としては、直視型の表示部を備える電子機器であれば携帯電話機に限らず、ＰＤＡ（Personal Digital Assistant：携帯情報端末機）やパーソナルコンピュータ、ノート型パーソナルコンピュータ、ワークステーション、デジタルスチルカメラ、車載用モニタ、カーナビゲーション装置、ヘッドアップディスプレイ、デジタルビデオカメラ、テレビジョン受像機、ビューファインダ型あるいはモニタ直視型のビデオテープレコーダ、ページャ、電子手帳、電卓、電子ブックやプロジェクタ、ワードプロセッサ、テレビ電話機、ＰＯＳ端末、タッチパネルを備える機器、照明装置などのような他の電子機器であってもよい。
【図面の簡単な説明】
【００７４】
【図１】第１の実施形態の液晶表示装置を示す概略平面図である。
【図２】図１のＡ−Ａ矢視断面図である。
【図３】図１の等価回路図である。
【図４】サブ画素領域を示す平面構成図である。
【図５】図４のＢ−Ｂ矢視断面図である。
【図６】液晶分子の挙動を説明する説明図である。
【図７】液晶表示装置を備える携帯電話機を示す外観斜視図である。
【図８】第２の実施形態の液晶表示装置のサブ画素領域を示す平面構成図である。
【図９】図８のＣ−Ｃ矢視断面図である。
【図１０】液晶分子の挙動を説明する説明図である。
【図１１】第３の実施形態の液晶表示装置のサブ画素領域を示す平面構成図である。
【図１２】図１１のＤ−Ｄ矢視断面図である。
【図１３】液晶分子の挙動を説明する説明図である。
【符号の説明】
【００７５】
１，２００，３００  液晶表示装置、１１，２０１，３０１  素子基板（第１基板）、１２，３０２  対向基板（第２基板）、１３  液晶層、１３Ａ  液晶分子、２５Ａ，２０２Ａ，３０３Ａ  第１サブ画素領域（画素領域）、２５Ｂ，２０２Ｂ，３０３Ｂ  第２サブ画素領域（画素領域）、２６Ａ  第１サブ画素領域群（第１画素領域群）、２６Ｂ  第２サブ画素領域群（第２画素領域群）、３１，２１２，３０７  画素電極（第１電極）、３１ｂ，２１２ｃ  帯状電極（第１帯状部）、３７，３８  偏光板、５０，２１１，３０８  共通電極（第２電極）、１００  携帯電話機（電子機器）、２１１ｂ  帯状電極（第２帯状部）、３０７ａ  スリット（開口部、配向制御手段）、３１０  帯状凸部（凸部、配向制御手段）、Ｌ１〜Ｌ３  基準軸
【図１】
2008083324.tif 000003
【図２】
2008083324.tif 000004
【図３】
2008083324.tif 000005
【図４】
2008083324.tif 000006
【図５】
2008083324.tif 000007
【図６】
2008083324.tif 000008
【図７】
2008083324.tif 000009
【図８】
2008083324.tif 000010
【図９】
2008083324.tif 000011
【図１０】
2008083324.tif 000012
【図１１】
2008083324.tif 000013
【図１２】
2008083324.tif 000014
【図１３】
2008083324.tif 000015